(57)【要約】【課題】本発明は、オンラインショッピングの決済時にクレジットカード情報がネットワークに流れ第三者に悪用されることを防ぐことを可能とするものである。【解決手段】購入者端末とクレジットカードは、購入者がクレジット会社と契約して支給されたものである。端末とカードはペアとなっており、いずれにも購入者ＩＤが記録されていて、端末はペアのカードでのみ使用可能となっている。端末はインターネットと接続され、インターネットで商品の販売を行っているショップサイトから商品情報を取得する機能、クレジット番号を送信する機能を持つ。また、端末は電話回線とも接続され、電話回線を通じて契約したクレジット会社と情報を送受信する機能を持つ。クレジット会社は端末から送られてくる購入者ＩＤや電話番号から契約者が誰であるかを特定することができ、また端末から購入者が購入しようとしている商品の情報を受け取ることができる。【選択図】      図１
2006268516.tif 000002
【特許請求の範囲】
【請求項１】
セットされたクレジットカードの購入者ＩＤを読み込み自身の記憶する購入者ＩＤと比較し一致しないと処理を停止し、一致すると電話回線で接続したクレジット会社端末に前記クレジットカードの記載情報を送信することを特徴とするクレジットカード端末。
【請求項２】
ショップサイト端末が、購入者の購入する商品情報を購入者端末に送信するステップと、
前記購入者端末が、セットされたクレジットカードから購入者ＩＤを読み込み自身の記憶する購入者ＩＤと比較し一致するとクレジット会社端末に電話回線で接続して前記クレジットカードに記載されたクレジットカード情報と前記商品情報とを送信するステップと、
前記クレジット会社端末が、受信した前記クレジットカード情報と、前記商品情報とを一時記憶するステップと、
前記購入者端末が、前記ショップサイト端末にクレジットカード情報を送信するステップと、
前記ショップサイト端末が、前記商品情報と前記クレジットカード情報とを前記クレジット会社端末に送信するステップと、
前記クレジット会社端末が前記購入者端末からの受信情報と、前記ショップサイト端末からの受信情報とを比較し一致すると決済を実行するステップと、
を備えることを特徴とするクレジットカード決済方法。
【発明の詳細な説明】
【技術分野】
【０００１】
本発明は、クレジットカードのセキュリティの向上に関し、特に、クレジット会社がクレジットカード使用者に支給したクレジットカード固有の端末を提供し、当該端末によってクレジット決済を行うことでクレジットカードの安全性を図ったクレジットカード端末、クレジットカード決済方法に関する。
【背景技術】
【０００２】
従来の公共ネットワークを介してのオンラインショッピングはクレジットカードを使用することが最も一般的であり、購入したい商品を選択した後にクレジットカード番号をショップサイトに通知してクレジット会社を通して代金の支払いを行う。
【０００３】
しかし、クレジットカード番号は公共ネットワークを通ってショップサイトに通知されるため、ネットワークの途中で第三者に漏洩する可能性もあり、漏洩した場合は番号を悪用されて不当な支払い請求が行われる可能性があった。
【０００４】
それを防ぐために、クレジットカード番号を通知する場合は暗号化する方法がある。これにより公共ネットワークで番号が漏洩する可能性は非常に低くなる。しかし、暗号が解読されるという可能性は０ではないため、完全に漏れないわけではない。
【０００５】
また、悪質なショップサイトの場合は受け取ったクレジットカード番号を購入者が購入した商品の代金請求に使用するだけでなく、不正な請求を行う恐れもある。
このように、公共ネットワークにクレジットカード番号を送信することは不正な被害を受ける可能性があり、オンラインショッピングをすることに対して不安を感じて利用を躊躇う人達も存在していた。
【０００６】
特許文献１にはクレジットカード等の決済を行う専用端末について記載されている。
【０００７】
【特許文献１】特開２００４−３５５２１１
【発明の開示】
【発明が解決しようとする課題】
【０００８】
本発明の目的は、上述した従来のクレジットカードの問題点を解決した、購入の際にクレジットカード情報がネットワーク上に流れる等でクレジットカード情報が漏洩し第三者に悪用されることを防ぎ、安心して商品を購入することを可能とするクレジットカード端末、クレジットカード決済方法を提供するものである。
【課題を解決するための手段】
【０００９】
本発明のクレジットカード端末は、セットされたクレジットカードの購入者ＩＤを読み込み自身の記憶する購入者ＩＤと比較し一致しないと処理を停止し、一致すると電話回線で接続したクレジット会社端末に前記クレジットカードの記載情報を送信することを特徴とする。
【００１０】
本発明のクレジットカード決済方法は、ショップサイト端末が、購入者の購入する商品情報を購入者端末に送信するステップと、  前記購入者端末が、セットされたクレジットカードから購入者ＩＤを読み込み自身の記憶する購入者ＩＤと比較し一致するとクレジット会社端末に電話回線で接続して前記クレジットカードに記載されたクレジットカード情報と前記商品情報とを送信するステップと、  前記クレジット会社端末が、受信した前記クレジットカード情報と、前記商品情報とを一時記憶するステップと、  前記購入者端末が、前記ショップサイト端末にクレジットカード情報を送信するステップと、  前記ショップサイト端末が、前記商品情報と前記クレジットカード情報とを前記クレジット会社端末に送信するステップと、  前記クレジット会社端末が前記購入者端末からの受信情報と、前記ショップサイト端末からの受信情報とを比較し一致すると決済を実行するステップと、を備えることを特徴とする。
【発明の効果】
【００１１】
第１の効果は、インターネット等の公共ネットワークを介して商品を購入するオンラインショッピングにおいて、クレジットカード情報がネットワークに流れることでカード情報が第三者に漏洩し悪用されることを防ぐことができる。クレジット番号が漏洩しても特定の購入者端末を使用しなければ、オンラインショッピング等で商品を購入してもクレジット会社は代金の支払いを拒否するため、知らない間に不当な請求を受けることがない。
【００１２】
第２の効果は、オンライン用クレジットカードはネットワークでのみ使用可能で、店舗での購入には使用できない。そのため、盗難にあっても第三者が店舗で悪用することはできない。以上の効果で、公共ネットワークを介しての商品購入を安心して行うことができる。
【発明を実施するための最良の形態】
【００１３】
次に、本発明を実施するための最良の形態について図面を参照して詳細に説明する。
【００１４】
図１に、本発明の一実施例としてのオンラインショッピング用クレジットカード（以降、クレジットカードと称す）と端末の使用方法例を示す。
【００１５】
公共ネットワーク６を介して商品を購入する購入者は、クレジット会社と契約してクレジット会社より支給される購入者端末１を設置する。購入者端末１は、コンピュータでありプログラム動作する。購入者がクレジット会社より支給された購入者端末１に記録された購入者ＩＤと同じＩＤが内部のＲＯＭ等の不揮発性メモリに記録されたペアのクレジットカード４でのみ使用可能となっている。クレジット会社はクレジット会社端末３を有する。
【００１６】
購入者端末１はインターネット等の公共ネットワーク６と接続されており、公共ネットワーク６上で商品の販売を行っているショップサイトのショップサイト端末２からショップサイトＩＤや商品情報をダウンロードする機能を持つ。またショップサイト端末２とクレジット会社端末３とはインターネット等で接続されているとする。
【００１７】
また、購入者端末１は電話回線５とも接続され、電話回線５を通じて契約したクレジット会社のクレジット会社端末３と情報を送受信する機能を持つ。クレジット会社端末３は購入者端末１から送られてくる購入者ＩＤや電話番号から契約者が誰であるかを特定することができ、また購入者端末１から購入者が購入しようとしている商品の情報を受け取ることが可能となっている。
【００１８】
次に、本発明を実施するための最良の形態の動作について図面を参照して説明する。
【００１９】
次に図１を用いて、クレジットカードと端末の使用例を説明する。
【００２０】
はじめ、クレジット会社はオンラインショッピングでのみ使用可能なクレジットカード４を購入者に発行する。さらにクレジット会社は、購入者端末１を購入者宅に設置し、公共ネットワーク６及び電話回線５に接続する。
【００２１】
クレジットカード４と購入者端末１はペアとなっており、いずれにも購入者に割り当てられた購入者ＩＤが記録されている。購入者端末１を使用するためには、同じ購入者ＩＤを持つクレジットカード４が必要となる。
【００２２】
購入者が公共ネットワーク６上でショップサイトから目的の商品を購入する際は、以下の手順で行う。
【００２３】
（１）購入者がショップサイトで目的の商品を選ぶ。購入者がその商品の購入を選択すると、ショップサイト端末２は、ショップサイトＩＤや購入された商品情報（製品名，価格，個数，購入日，購入サイト等）を購入者端末１にダウンロードする。
【００２４】
（２）次に、購入者はクレジットカード４を購入者端末１にセットする。購入者端末１は、購入者端末１に予め設定された購入者ＩＤとクレジットカード４のもつ購入者ＩＤが一致することが確認すると、購入者端末１は次の処理に移る。購入者ＩＤが不一致の場合は、購入者端末１は処理を停止する。
【００２５】
（３）購入者端末１は電話回線５を使ってクレジット会社端末３に電話をかける。クレジット会社端末３と接続したら、購入者端末１は購入者ＩＤをクレジット会社端末３に送信する。
【００２６】
（４）クレジット会社端末３は、購入者端末１の電話番号及び送られてきた購入者ＩＤをチェックし、購入者を特定する。クレジット会社は購入者を特定できたら、購入者端末１に対し購入者特定が成功したことを通知する。
【００２７】
（５）購入者端末１は、（１）でダウンロードしたショップサイトＩＤや商品情報をクレジット会社端末３に送信する。これにより、購入者はクレジット会社にオンラインショッピング用クレジットカード４を用いて商品を購入することや商品内容を予め通知したことになる。
【００２８】
（６）クレジット会社端末３への事前購入通知が完了すると、購入者端末１はショップサイト端末２にクレジットカード４の番号を送信し、（１）で選択した商品の購入を申し込む。
【００２９】
（７）ショップサイト端末２は購入者に商品を送るとともに、クレジット会社端末３にショップサイトＩＤと商品情報，クレジットカード番号を送信し、商品代金の決済を申請する。
【００３０】
（８）クレジット会社端末３は、ショップサイト端末２から送られてきたクレジットカード番号が（２）〜（５）で接続した購入者端末１を持つ購入者の番号であることを確認し、さらにショップサイトＩＤや商品情報が（５）で購入者端末１から送られてきた内容と一致していれば、クレジット会社はショップサイト２に商品の代金を支払う。
【００３１】
以上の手順を取ることによってオンラインショッピング用クレジットカード情報がネットワーク６上で洩れても、特定の購入者端末１から事前に購入通知をクレジット会社端末３に行わなければ支払い処理が行われないため、第三者がクレジットカード情報を悪用することを防ぐことができる。
【００３２】
購入者端末１とクレジット会社端末３の間の通信は電話回線５を使用しているため１対１で接続されており、購入者ＩＤが第三者に漏洩することがない。また、クレジット会社端末３は購入者端末１がかけてきた電話番号を購入者の特定に使用しているため、購入者端末１が盗難にあっても他の電話番号では使用できないため悪用できない。
【００３３】
また、クレジットカード４は店舗での購入には使用できないため、クレジットカード４が盗難にあっても、第三者が店舗で使用することはできない。
【産業上の利用可能性】
【００３４】
クレジットカード会社の発行するクレジットカードの安全性を向上させることができる。
【図面の簡単な説明】
【００３５】
【図１】本発明の実施例の構成と処理の流れを表した説明図である。
【符号の説明】
【００３６】
１    購入者端末
２    ショップサイト端末
３    クレジット会社端末
４    クレジットカード
５    電話回線
６    ネットワーク
【図１】
2006268516.tif 000003